(57)【要約】      （修正有）【課題】マスカラ等の液状化粧料を払拭する払拭部材を有する容器本体で、塗布棒を容器本体に挿入する際、容器本体内の圧力が上昇して液状化粧料が噴出することのないようにすると共に塗布部に残る液状化粧料の偏在を防止する。【解決手段】縦リブ３３を塗布棒３１に設け、払拭部を構成する下向き略円錐状に形成したしごき片７５をしごき片の上方変形を規制するストッパー８１に当接することで塗布棒、塗布部の外周から塗布部の先端までの払拭を確実にすると共に塗布部に残る液状化粧料の偏在をなくする。また塗布棒の外周に形成される縦リブは、塗布棒としごき片との間に隙間を形成し、液状化粧料を収納する容器本体内の圧力を逃がし塗布棒を挿脱操作する際、液状化粧料が圧縮空気と共に容器本体から噴出しないようにする。【選択図】図１
2007307314.tif 000002
【特許請求の範囲】
【請求項１】
液状化粧料を収容する筒状の容器本体と、該容器本体を閉蓋するキャップと、該キャップに固定する塗布棒と、該塗布棒の先端部に設けた塗布部と、塗布棒および塗布部を挿通することで塗布部に付着する液状化粧料を調整するしごき片を設けた払拭部材とを有する液状化粧料容器において、前記塗布棒の先端側から軸長方向中間位置に向け直線状に突出する縦リブを有する前記塗布棒と、前記しごき片の中心側から切込みを入れた前記払拭部材を有し、前記塗布棒が容器本体内に挿脱する際に前記縦リブがしごき片を押し退け容器本体内の空気を給排気できる隙間を形成することを特徴とする液状化粧料容器。
【請求項２】
前記塗布棒の先端側から軸長方向中間位置に向け直線状に突出する縦リブを有する前記塗布棒と、容器本体の開口側に挿着固定されるストッパー部と、該ストッパー部の下側に隣接する位置に設けられ、ストッパー側を広く開口した下向き略円錐形状で先端中心から切込みを入れたしごき片を形成する前記払拭部材を有し、
払拭部材を下向き略円錐形状にして塗布部を容器本体から引き抜く際、払拭部材を前記ストッパーに当接させることにより塗布部が下向き略円錐形状の先端から払拭部材を押し潰すよう加圧することでしごき片を軸方向に圧迫し塗布部を強くしごけるようにすると共に、しごき片の開口側への巻き込みを防止し塗布部のしごき力を安定させることを特徴とする請求項1記載の液状化粧料容器。
【発明の詳細な説明】
【技術分野】
【０００１】
本発明はマスカラ、アイライナー、リップグロス等の液状化粧料を収納する液状化粧料容器に関する。さらに詳しくは塗布棒および払拭部材に関し、塗布棒と払拭部材との間に隙間を生じさせ容器本体内の圧力上昇を抑える液状化粧料容器に関する。また塗布棒から塗布部に付着する液状化粧料を塗布部の先端までしごける液状化粧料容器に関する。
【背景技術】
【０００２】
マスカラ、アイライナー、リップグロス等に用いられる液状化粧料容器は、容器本体内に収容する液状化粧料を塗布棒の先の塗布部に付着させて取り出し、睫毛、瞼、唇等に塗布するため使用している。塗布部は芯材でよられるなどしたブラシ毛や植毛部材、スポンジ部材等を塗布棒の先端に配設され、液状化粧料を効率よく睫毛、瞼、唇等に塗布する。
【０００３】
塗布部は容器本体内の液状化粧料に浸漬され液状化粧料を多く付着する。そのため塗布部に余分に付着する液状化粧料は容器本体に設けたしごき片でしごき適量に調節される。またしごき片は塗布棒に付着した液状化粧料を抜き取るため塗布棒に絶えず密着していた。
【０００４】
しかし、払拭部材により密閉された容器本体内に塗布棒、塗布部材が挿脱されるため容器本体内の内圧が増減する。容器本体内の内圧が過大に上昇すると払拭部材が変形し、隙間を形成して容器本体内の空気を噴出する。この時払拭部材近辺に付着する液状化粧料も一緒に外部へ噴出し、周囲を汚してしまう危険性があった。
【０００５】
こうした不具合を解消するため特許文献１は塗布棒表面に容器本体内の液状化粧料の不用意な漏出を防ぐピストンと容器本体内の空気を外気に通じ内圧の増減を抑える隙間を形成する液状化粧料容器を提案している。
【０００６】
また、払拭部材には塗布棒に付着する液状化粧料をきれいに払拭すると共に塗布部に付着する余分な液状化粧料を払拭する機能が求められる。そのため特許文献２は塗布棒の表面をきれいに払拭するため払拭に方向性を持たせ、塗布部の中心に塗布棒の外形にあった払拭穴となる開口部を設けるものを提案している。
【０００７】
【特許文献１】実開昭５８-１３８５１０号公報
【特許文献２】特開２００４-０００７１０号公報
【発明の開示】
【発明が解決しようとする課題】
【０００８】
特許文献１は、塗布棒となる軸の表面に突起あるいは凹部からなる空気抜き部を形成し、容器本体内で加圧された空気を抜きながら塗布部となる塗布具を挿入できるようにしている。また軸に形成されたピストンは容器本体の開口部に設けられるしごき片となる扱き体の内面に圧接とともに摺動し液状化粧料の漏れを防止する。また扱き体は塗布具に付着する余分な液状化粧料を付着移動させ容器本体内にしごき落としている。
【０００９】
特許文献１では、軸の表面に形成される突起が扱き体の内面に接触することにより扱き体の内面と空気抜き部との間に隙間を生じさせ容器内外の空気を流通し圧力を同一にする。しかし、空気抜き部は空気のみならず液状化粧料も漏出することになる。そのため閉蓋状態において液状化粧料の漏出を防ぐようピストンが設けられている。
【００１０】
ピストンによる空気抜き部の閉止は、ピストンの下方摺動に伴い容器本体内の空気を加圧する。そのため容器本体の開口部に残された液状化粧料が開蓋時に加圧された空気とともに噴出してしまうことがあった。
【００１１】
また扱き体のしごき部に切込みとなる切れ目を形成する場合にあってもピストンを扱き体の内面に挿入し、しごき部を拡径することにより切れ目を広げる。広がった切れ目はピストンの上下で容器の内外を連通し、容器本体内の液状化粧料を不用意に流出するといった不都合があった。
【００１２】
特許文献２は払拭部材の動作力に方向性を持たせ塗布部材を容器本体から引き抜く際しごき片となるワイパが塗布棒や塗布部の表面に確実に接触するようにするものである。しかし、特許文献２の例では塗布部を容器本体から引き抜く際の摺動を阻害しないようにするため塗布棒が挿通される払拭穴が設けられている。払拭穴となる開口部の穴径は縮小せず、塗布部に付着する液状化粧料の払拭穴の内側はしごかれない。そのため塗布部の先端側に液状化粧料が移動し、過剰な液状化粧料が偏在するため化粧する部位の周辺を汚すなど化粧の失敗原因となるなどの不都合があった。
【００１３】
本発明はこのような問題点に鑑みてなされたものでその目的とするところは、塗布部に付着する液状化粧料を塗布部の先端までしごき、過剰な液状化粧料が塗布部に偏在することのない液状化粧料容器を提供しようとするものである。また塗布棒に付着する液状化粧料をきれいに払拭すると共に容器本体内の空気圧上昇をなくし容器本体内の液状化粧料噴出のない液状化粧料容器を提供しようとするものである。
【課題を解決するための手段】
【００１４】
本発明液状化粧料容器は、上記目的を達成するため塗布棒の縦リブと払拭部材との接触により容器本体内の空気を液状化粧料の噴出なく外気と通気する隙間を形成するものである。さらにしごき片を当接し変形を規制するストッパーを設け、またしごき片を下向き略円錐形状にしてしごき片の中心側から切込みを入れることにより塗布棒から塗布部の先端まで確実にしごけるようにするものである。
【００１５】
即ち、塗布棒の先端側から軸長方向中間位置に向け直線状に突出する縦リブを有する前記塗布棒と、しごき片の中心側から切込みを入れた前記払拭部材を有し、塗布棒が容器本体内に挿脱する際に前記縦リブがしごき片を押し退け容器本体内の空気を給排気できる隙間を形成するものである。
【００１６】
また、塗布棒の先端側から軸長方向中間位置に向け直線状に突出する縦リブを有する前記塗布棒と、容器本体の開口側に挿着固定されるストッパー部と、ストッパー部の下側に隣接する位置に設けられ、ストッパー部側を広く開口した下向き略円錐形状で先端中心から切込みを入れたしごき片を形成する前記払拭部材を有し、払拭部材を下向き略円錐形状にして塗布部を容器本体から引き抜く際、払拭部材をストッパー部に当接させることにより塗布部が下向き略円錐形状の先端から払拭部材を押し潰すよう加圧することでしごき片を軸方向に圧迫し塗布部を強くしごけるようにすると共に、しごき片の開口側への巻き込みを防止し塗布部のしごき力を安定させるものである。
【発明の効果】
【００１７】
本発明液状化粧料容器にあっては以下に記載する効果を奏する。即ち塗布部を容器本体に挿入する際、塗布棒の外周に突出した縦リブは弾性を有するしごき片に接触し塗布体との間に隙間を形成する。さらにしごき片に複数の切れ込みを入れることにより切れ込みにより隣と分断されたしごき片をそれぞれ独立して変形させることができる。そのため、しごき片は縦リブとの接触により変形量に大きな差を生じさせ切込み部に大きな隙間を形成できる。隙間は容器本体の内外を給排気し容器本体の圧力上昇を抑え、化粧料取出し口から液状化粧料が噴出することを防ぐことができる。
【００１８】
また払拭部材を下向き略円錐形状にすることにより塗布棒、塗布部の引き抜きの際、しごき片を中心側に搾るように圧力が加わり塗布棒から塗布部の先端までを残りなくしごくことができる。そのため塗布部先端での液状化粧料の残留をなくすことができる。
さらに払拭部材を構成するしごき片は下向き略円錐形状の軟質の弾性体であることから、塗布部、塗布棒を払拭部材の上方から挿入する場合拡開し易く、容易に挿入できる。払拭部材の拡開し易さはしごき力の低下を伴うもので略円錐形状のしごき片の上面側にしごき落とされる液状化粧料を少なくし、塗布棒を払拭部材から引抜く際に再度付着してしまう不要な液状化粧料を減らすことが出来る。
【００１９】
また塗布部を容器本体から引き抜く際、払拭部材をストッパー部に当接させることによりしごき片の開口側への巻き込みを防止し塗布部のしごき力を安定できるなどの効果がある。
【発明を実施するための最良の形態】
【００２０】
次に本発明を図に基づいて説明する。図１は、本発明液状化粧料容器の一例であるマスカラ容器の組立て断面説明図である。本発明に係る液状化粧料容器は、上部を開口するとともに液状化粧料１５を収容する筒状の容器本体１３、容器本体１３に螺着し閉蓋するキャップ１１より構成される。キャップ１１には塗布棒３１が垂下し、塗布棒３１の先端には塗布部９１が設けられている。容器本体１３には雄螺子部５３を有する首筒５１が嵌着されており、首筒５１の下部には下向き略円錐形状のしごき片７５を有する払拭部材７１が止着される。下向き略円錐形状の払拭部材７１の上部には首筒５１に固定されるストッパー部８１が設けられている。ストッパー部８１は塗布部９１を容器本体１３から引き抜く際、払拭部材７１を形成するしごき片７５を当接し巻き込みを防止する。しごき片７５は塗布棒３１に密着する形状に成形され、塗布部９１に付着する余分な液状化粧料１５や塗布棒３１に付着した液状化粧料をしごき取る。
【００２１】
図２はキャップ１１に設ける塗布棒３１、塗布部９１の組み立て説明図である。キャップ１１の内面には雌螺子部１９を有する内キャップ１７が嵌合され、容器本体１３にキャップ１１を螺着し閉蓋する。内キャップ１７には塗布棒３１の基端部３５が植設されている。基端部３５の反対側となる先端部３７には塗布部９１が設けられている。
【００２２】
本図において塗布部９１は、針金等からなる芯材９３にブラシ毛９５を挟んで捻り螺旋状に成形したねじりブラシを示す。ねじりブラシはブラシ毛９５を円筒状、円錐状等、所定形状にカットして整形され、芯材９３を塗布棒３１の先端部３７に植設される。塗布棒３１の中央部には複数からなる縦リブ３３が設けられている。縦リブ３３は塗布棒３１の外周に突出するリブで、第１図に示されるように容器本体１３を閉蓋する際、払拭部材７１の下側から先端部３７にかけ軸長方向に長く形成される。またパッキン１８は図１に示す首筒５１上方の化粧料取出し口５９に密接し、液状化粧料１５が漏洩したり乾燥したりしないように容器内を密閉するものである。
【００２３】
図３は首筒に止着される払拭部材とストッパー部の組み立て実施例図である。図３(Ａ)は第１の払拭部材とストッパー部の組み立て説明図で首筒５１の下端内側にストッパー部８１が一体に形成されている。さらに首筒５１の下端外側には払拭部材７１を位置決め固定する払拭部材係止部５５が設けられている。払拭部材７１はＮＢＲ、シリコンゴムなどの軟質の弾性体で成形されている。払拭部材７１は上側を広く開口した下向き略円錐状であり、略円錐状の頂点付近を形成するしごき片７５の中心側から図１、図２に示される塗布棒３１、塗付部９１の挿通を可能にする複数の切込みが入れられている。またストッパー部８１は払拭部材７１の開口内側に当接するよう嵌着部５７の内面に形成され、略円錐の頂部を塗付部９１の引き抜きの際のしごき片７５が上方への巻き込みを防止する。嵌着部５７は容器本体１３の開口側に図１に示されるように嵌着する嵌着部である。図３では略円錐状のしごき片７５の頂部に開口する穴を形成していないが図２に示すような塗布棒３１の外径より小径の塗布部挿通孔を開口することも良い。
【００２４】
図３（Ｂ）は第２の払拭部材とストッパー部の組み立て説明図で首筒５１の下端内側にストッパー部８１が嵌着されている。さらに首筒５１の下端内側にはしごき片７５を有する払拭部材７１を位置決め固定する払拭部材係止部５５が設けられ、首筒５１の下端内側からＮＢＲ、シリコンゴムなどの軟質の弾性体で成形された払拭部材７１を挿着し固定している。
【００２５】
図３（Ｃ）は第３の払拭部材とストッパー部の組み立て説明図である。図３（Ｃ）では雄螺子部５４は容器本体１３を一体に成形されることから、雄螺子部５４は図３（Ａ）、（Ｂ）に示される雄螺子５３と異なり容器本体１３の一部となる。ストッパー部８１は筒状を形成する嵌着部５８の内面に突出して形成され嵌着部５８と共に雄螺子部５４の内面に嵌着される。また払拭部材７１は嵌着部５８の内面で図３（Ａ）、（Ｂ）と同様にストッパー部８１の下部に配される。尚、図３(Ｃ)では払拭部材７１を嵌着部５８の内面に挿着しているが払拭部材７１を嵌着部５８の外周に挿着することも良い。
【００２６】
図４は本発明液状化粧料容器での塗布棒挿入過程の説明図で液状化粧料のしごき取り過程を示す。図４では図３（Ａ）で示した首筒５１を容器本体１３に装着したもので説明を加えるが、図３（Ｂ）、（Ｃ）に示される第２、第３の払拭部材とストッパー部の組み立てあるいはこれらの変形であるものの利用でも良い。図において、塗布部９１は捻りブラシで形成され、塗布棒３１の先端部３７に植設したもので説明を加えるが、植毛された塗布部、一体に成形された塗布部、スポンジチップなどでも良い。
【００２７】
図４（Ａ）は先端に塗布部９１を設けた塗布棒３１を容器本体１３に挿入する初期過程を示す。図において塗布棒３１は容器本体１３に挿入するため矢印Ａ方向に移動されるが、塗布棒３１の外周に直線状に突出する縦リブ３３、塗布部９１はしごき片７５より上方に位置している。払拭部材７１は図３（Ａ）、（Ｂ）、（Ｃ）に示すように下向き略円錐状で頂点付近を形成するしごき片７５を有し、しごき片７５の中心側から放射状に複数の切込みが入れられ塗布棒３１、塗付部９１の挿通を可能にしている。以降開口穴を設けないことを前提に説明を進めるが塗布棒３１の外周に密接しつつ挿通できる開口部を形成することも本発明の範疇にあるものである。
【００２８】
図４(Ｂ)は塗布棒３１を矢印Ａ方向に挿入し、先端部３７に設けられた塗布部９１の一部が払拭部材７１を押し退けた状態を示す。図において塗布部９１は下向き略円錐状のしごき片７５を上方内側から押し拡げる。払拭部材７１は伸びやすいシリコンゴム、ウレタンゴムなどの軟質の弾性体で形成されているため、小さな押し広げ力で下向き略円錐状のしごき片７５の頂点付近を図４（ｂ）に示すように伸びを伴い大きく開口する。この時の塗布部９１に付着する液状化粧料１５に対するしごき力も小さくなる。そのため容器本体１３内の液状化粧料１５と反対面になるしごき片７５の上面に残留するしごき取り量を少なくすることができる。また塗布棒３１を再度引抜いた時に残留した化粧料１５が塗布棒３１に再付着することを妨げることができる。
【００２９】
図４（Ｃ）は塗布棒３１をさらに矢印Ａ方向に挿入し、しごき片７５が塗布棒３１の外周に直線状に突出する縦リブ３３に接する状態を示す。図４（Ｃ）の位置でしごき片７５は縦リブ３３と塗布棒３１外周の双方に接触することから両接触部の中間位置に空気抜きのできる隙間を形成する。そのため塗布部９１を液状化粧料１５内に浸漬するまで挿入した場合でも容器本体１３内の空気は矢印Ｃ方向に通気し容器本体１３内の異常な昇圧を抑えることができる。そのため化粧料取出し口５９から液状化粧料１５が噴出することを防ぐ。
【００３０】
図５は図１のように容器本体をキャップで閉蓋した状態での塗布棒、払拭部材の配置説明図であり、塗布部９１が液状化粧料１５内に浸漬されている状態を示す。図５ではしごき片７５は縦リブ３３から外れた塗布棒３１表面に接触している。
【００３１】
図６は本発明液状化粧料容器での塗布棒引き抜き過程の説明図で液状化粧料のしごき取り過程を示す。図６(Ａ)において化粧料１５は容器本体１３より塗布部９１と共に引き上げられ、さらにしごき片７５によりしごかれる。しごき片７５は塗布棒３１を中心に挿通していることから塗布棒３１の表面としごき片７５との摩擦力によりしごき片７５の先端は上方に押圧されて軸方向に圧縮されながら変形する。
【００３２】
図６(Ｂ)は塗布棒３１をさらに矢印Ｂ方向に引き抜きしごき片７５が塗布部９１をしごき、付着する液状化粧料１５を払拭する状態を示す。しごき片７５は矢印Ｂ方向に引き抜かれて塗布棒３１の表面を塗布棒３１の先端部３７まで摺動し、さらに塗布部９１の中央に移動している。塗布部９１を形成するブラシ毛９５の外径は塗布棒３１の外径より大きく、しごき片７５が塗布部９１にまで移動するとブラシ毛９５の変形に伴う大きな摩擦力が生じる。そのためしごき片７５は図６（Ａ）の場合より大きな力で上方に押圧され、より軸方向に縮むように変形するがストッパー８１に当接することで変形を制限ししごき片７５の巻き込みを防止する。しごき片７５とストッパー８１との当接は塗布部９１に対するしごき力を大きくでき、またしごき片７５の巻き込みをなくすことは液状化粧料１５を適量にかつ安定して払拭できる。払拭された液状化粧料１５は容器本体１３の内壁を介し元に戻される。図６（Ｃ）では塗布棒３１をさらに矢印Ｂ方向に引き抜きしごき片７５が塗布部９１の先端に付着する液状化粧料１５を払拭する状態を示す。
【００３３】
以上図面に基づき、払拭部材が首筒に止着された状態で容器本体内に嵌着する例を説明してきたが、本発明は図面に限定するものではなく、既に知られている本発明の効果を奏するどのような構成も採用されることができることは言うまでもないことである。また図３（Ｃ）のように雄螺子部が容器本体側に形成されるものは勿論、更に塗布部９１にはブラシ毛９５以外に植毛された塗布部、一体に成形された塗布部、スポンジチップなどを使用することもありこうした公知の部材の使用も本発明の範疇から外れるものではない。
【図面の簡単な説明】
【００３４】
【図１】本発明液状化粧料容器の組立て断面説明図である。
【図２】塗布棒、塗布部の組み立て説明図である。
【図３】払拭部材とストッパー部の組み立て実施例図である。
【図４】本発明液状化粧料容器での塗布棒挿入過程の説明図である。
【図５】閉蓋した状態での塗布棒、払拭部材の配置説明図である。
【図６】本発明液状化粧料容器での塗布棒引き抜き過程の説明図である。
【符号の説明】
【００３５】
１１・・・キャップ
１３・・・容器本体            
１５・・・液状化粧料          
１７・・・内キャップ      
１８・・・パッキン            
１９・・・雌螺子部
３１・・・塗布棒
３３・・・縦リブ              
３５・・・基端部              
３７・・・先端部  
５１・・・首筒          
５３・・・雄螺子部        
５４・・・雄螺子部
５５・・・払拭部材係止部      
５７・・・嵌着部  
５９・・・化粧料取出し口
７１・・・払拭部材            
７５・・・しごき片            
７７・・・切込み部          
７９・・・隙間    
８１・・・ストッパー部
９１・・・塗布部
９３・・・芯材
９５・・・ブラシ毛
【図１】
2007307314.tif 000003
【図２】
2007307314.tif 000004
【図３】
2007307314.tif 000005
【図４】
2007307314.tif 000006
【図５】
2007307314.tif 000007
【図６】
2007307314.tif 000008